(57)【要約】【課題】柱材の設置位置を変更可能な屋根構造体を提供すること【解決手段】屋根構造体２０は、柱材２と、柱材２に接続される梁４と、柱材２の側方に配置される屋根体６と、梁４と交差する交差方向に延びると共に柱材２が交差方向に移動可能に取り付けられる後桁側スライド溝７１４を有し、屋根体６における柱材２側の端部を支持する後桁部材７１と、梁４と交差する交差方向に延びると共に梁４が交差方向に移動可能に取り付けられる前桁側スライド溝７２２を有する前桁部材７２と、前桁部材７２の下部に取り付けられ屋根体６を吊り下げて支持する吊部材７３と、を備える。【選択図】図９
2018123615.tif 000002
【特許請求の範囲】
【請求項１】
柱材と、
前記柱材に接続される梁と、
前記柱材の側方に配置される屋根体と、
前記梁と交差する交差方向に延びると共に前記柱材が前記交差方向に移動可能に取り付けられる後桁側スライド溝を有し、前記屋根体における前記柱材側の端部を支持する後桁部材と、
前記梁と交差する交差方向に延びると共に前記梁が前記交差方向に移動可能に取り付けられる前桁側スライド溝を有する前桁部材と、
前記前桁部材の下部に取り付けられ前記屋根体を吊り下げて支持する吊部材と、を備える屋根構造体。
【請求項２】
前記前桁部材は、前記梁の先端部に取り付けられる請求項１に記載の屋根構造体。
【発明の詳細な説明】
【技術分野】
【０００１】
本発明は、柱材と梁と屋根体とを備える屋根構造体に関する。
【背景技術】
【０００２】
従来、柱材と梁と屋根体とを備える屋根構造体が知られている（例えば、特許文献１参照）。特許文献１に記載の屋根構造体においては、屋根体の柱材側の形材を柱材に固定する場合に、形材に予め設けられたネジ孔の加工位置において、ネジ部材を用いて、形材を柱材に固定する。
【先行技術文献】
【特許文献】
【０００３】
【特許文献１】特開２０１４−１９４１４６号公報
【発明の概要】
【発明が解決しようとする課題】
【０００４】
ここで、柱材を設置する際に、柱材の設置位置が制限される場合には、柱材の位置を変更したい場合がある。このような場合に、形材に予め設けられたネジ孔の加工位置とは異なる位置においてネジ止めを行う必要があるため、現場において、形材に新たなネジ孔を加工することが必要となる。
従って、柱材の設置位置を変更可能な屋根構造体が望まれる。
【０００５】
本発明は、柱材の設置位置を変更可能な屋根構造体を提供することを目的とする。
【課題を解決するための手段】
【０００６】
本発明は、柱材（例えば、後述の支柱２）と、前記柱材に接続される梁（例えば、後述の梁４）と、前記柱材の側方に配置される屋根体（例えば、後述の屋根体６）と、前記梁と交差する交差方向に延びると共に前記柱材が前記交差方向に移動可能に取り付けられる後桁側スライド溝（例えば、後述の後桁側スライド溝７１４）を有し、前記屋根材における前記柱材側の端部を支持する後桁部材（例えば、後述の後桁７１）と、前記梁と交差する交差方向に延びると共に前記梁が前記交差方向に移動可能に取り付けられる前桁側スライド溝（例えば、後述の前桁側スライド溝７２２）を有する前桁部材（例えば、後述する前桁７２）と、前記前桁部材の下部に取り付けられ前記屋根体を吊り下げて支持する吊部材（例えば、後述の吊り下げ部材７３）と、を備える屋根構造体（例えば、後述の屋根構造体２０）に関する。
【０００７】
また、前記前桁部材は、前記梁の先端部（例えば、後述の先端部４１）に取り付けられることが好ましい。
【発明の効果】
【０００８】
本発明によれば、柱材の設置位置を変更可能な屋根構造体を提供することができる。
【図面の簡単な説明】
【０００９】
【図１】本発明の一実施形態に係る駐輪場を斜め下方側から見た斜視図である。
【図２】本発明の屋根構造体を長手方向に見た図である。
【図３】支柱と梁との接続部分の周辺の構成を示す図である。
【図４】支柱、後桁及び仕切箱体の構成を示す斜視図である。
【図５】後桁及び照明取付枠体の構成を示す縦断面図であって、直接照明装置が照明取付枠体に取り付けられた状態を示す図である。
【図６】後桁及び照明取付枠体の構成を示す縦断面図であって、間接照明装置が照明取付枠体に取り付けられた状態を示す図である。
【図７】間接照明装置の配置を示す駐輪場の斜視図である。
【図８】梁の先端部に取り付けられた前桁、吊り下げ部材、及び屋根体を示す断面図である。
【図９】屋根構造体の部分平面図である。
【図１０】図１のＡ−Ａ線断面図であって、垂木にパネル材が支持された状態を示す断面図である。
【図１１】支柱に取り付けられた仕切箱体を示す横断面図である。
【図１２】連結部材を示す斜視図である。
【図１３】図３のＢ−Ｂ線断面図であって、連結部材が支柱に収容された状態を示す図である。
【図１４】図３のＣ−Ｃ線断面図であって、連結部材が支柱に収容された状態を示す図である。
【図１５】図３のＤ−Ｄ線断面図であって、連結部材が梁に収容された状態を示す図である。
【発明を実施するための形態】
【００１０】
以下、本発明の屋根構造体２０の一実施形態について、図面を参照しながら説明する。本実施形態においては、屋根構造体を、駐輪場１０の屋根構造体２０に適用した例について説明する。なお、本実施形態においては、屋根構造体２０を駐輪場１０の構造物に適用した例について説明するが、これに限定されない。例えば、屋根構造体を、駐輪場以外の構造物、例えば、カーポート、シェルター、休憩所、テラス、バス停などの構造物に適用してもよい。
【００１１】
図１は、本発明の一実施形態に係る駐輪場を斜め下方側から見た斜視図である。図２は、本発明の屋根構造体２０を長手方向に見た図である。図３は、支柱２と梁４との接続部分の周辺の構成を示す図である。図４は、支柱２、後桁７１及び仕切箱体３の構成を示す斜視図である。図５は、後桁７１及び照明取付枠体８の構成を示す縦断面図であって、直接照明装置１２が照明取付枠体８に取り付けられた状態を示す図である。図６は、後桁７１及び照明取付枠体８の構成を示す縦断面図であって、間接照明装置１３が照明取付枠体８に取り付けられた状態を示す図である。図７は、間接照明装置１３の配置を示す駐輪場１０の斜視図である。図８は、梁４の先端部４１に取り付けられた前桁７２、吊り下げ部材７３及び屋根体６を示す断面図である。図９は、屋根構造体２０の部分平面図である。図１０は、図１のＡ−Ａ線断面図であって、中間垂木６３にパネル材６４が支持された状態を示す断面図である。図１１は、支柱２に取り付けられた仕切箱体３を示す横断面図である。図１２は、連結部材５を示す斜視図である。図１３は、図３のＢ−Ｂ線断面図であって、連結部材５が支柱２に収容された状態を示す図である。図１４は、図３のＣ−Ｃ線断面図であって、連結部材５が支柱２に収容された状態を示す図である。図１５は、図３のＤ−Ｄ線断面図であって、連結部材５が梁４に収容された状態を示す図である。
【００１２】
なお、本実施形態の説明においては、３つの支柱２が並ぶ方向であって屋根体６の長辺に沿う方向を長手方向ともいい、梁４が延びる方向を前後方向ともいう。また、梁４が延びる前後方向において、支柱２側の基端側を、屋根構造体２０の後側ともいい、支柱２と反対側の先端側を、屋根構造体２０の前側ともいう。
【００１３】
まず、本実施形態の駐輪場１０の全体構造について説明する。
図１に示すように、駐輪場１０は、屋根構造体２０と、フェンス構造体５０と、を備える。
【００１４】
屋根構造体２０は、図１及び図２に示すように、前後方向の基端側の後側（図１及び図２における左側）において、屋根体６を後桁７１により下方側から支持すると共に、屋根体６を前後方向の先端側の前側（図１及び図２における右側）において、屋根体６を前桁７２の下部に取り付けられた吊り下げ部材７３により吊り下げて支持する。
【００１５】
フェンス構造体５０は、図１に示すように、上方側から見た場合に、屋根構造体２０の３つの支柱２が配置される側と反対側が開放する略Ｕ字状に配置される。フェンス構造体５０は、端部に配置される端部支柱５０１と、角部に配置される角部支柱５０２と、隣接する端部支柱５０１と角部支柱５０２の間に配置されるパネル構成体５０３と、パネル構成体５０３を側方で支持する側部支柱５０４と、を有する。
【００１６】
図１〜図３に示すように、本実施形態の駐輪場１０の屋根構造体２０は、地面１１に立設される３つの支柱２（柱材）と、支柱２の側部に配置された仕切箱体３（仕切空間構成部材）と、３つの支柱２の上端部から支柱に交差する方向に延びる梁４と、支柱２と梁４とを連結（接続）するＬ字状の連結部材５と、梁４の下部に配置される屋根体６と、支柱２に固定され梁４に交差する方向に延びる長尺の後桁７１（桁部材、後桁部材）と、梁４の先端部４１に接続され梁４に交差する方向に延びる長尺の前桁７２（前桁部材）と、前桁７２の下部に取り付けられた吊り下げ部材７３（吊部材）と、照明取付枠体８と、直接照明装置１２と、を備える。支柱２、梁４、後桁７１及び前桁７２は、アルミ材料の押出し形材で形成され、断面が中空状の中空部を有するホロー構造を有する。
【００１７】
３つの支柱２は、図１に示すように、駐輪場１０の屋根構造体２０の前後方向の後側（図１における左側）において、駐輪場１０の屋根構造体２０の長手方向に離間して並んで配置される。支柱２は、上下方向に延びて形成され、図４に示すように、横断面が角筒状に形成される中空状の支柱側ホロー部２１と、支柱側ホロー部２１の前後方向の両側の側面から、それぞれ、外部側に突出すると共に上下方向に延びる一対のカバー取付壁２２と、を有する。一対のカバー取付壁２２には、支柱２の前後方向の両側において、一対の支柱カバー部材２３が取り付けられる。
【００１８】
支柱カバー部材２３は、図４に示すように、支柱２における一対のカバー取付壁２２に取り付けられる。支柱カバー部材２３は、支柱２における前後方向の両側の側面において、後述する支柱２と連結部材５とを固定するネジ部材１０１，１０２を覆うように、かつ、支柱２の屋根体６側の側面に取り付けられる後桁ブラケット７１１（支持部）の一部を覆うように、一対のカバー取付壁２２に取り付けられる（図２、図１３参照）。
【００１９】
３つの支柱２の屋根体６側の側面には、図４及び図５に示すように、屋根体６の後側において、３つの支柱２それぞれを長手方向に繋ぐように、長手方向に延びる後桁７１が取り付けられている（図１参照）。後桁７１は、図５に示すように、後桁ブラケット７１１（支持部）を介して、支柱２に取り付けられている。後桁７１は、屋根体６における支柱２側（前後方向の基端側、後側）の端部を、屋根体６の下方側から支持する。
【００２０】
後桁ブラケット７１１は、支柱２における屋根体６側の側面に取り付けられる。後桁ブラケット７１１における屋根体６側の側面に取り付けられる部分は、支柱２の屋根体６側の側面と屋根体６側の支柱カバー部材２３との間の空間に配置される（図２及び図５参照）。後桁ブラケット７１１は、後桁７１を支持する。
【００２１】
後桁７１は、図５に示すように、中空部を有して構成される後桁側ホロー部７１２（ホロー構造部）と、横樋構成部（樋部）７１３と、後桁側スライド溝７１４ｃ（溝部）が形成された後桁凹部７１４と、照明取付枠体８を嵌合させる後桁側嵌合部７１５と、パネル受け部材７１８を嵌合させるパネル受け部材嵌合溝部７１６と、を有する。パネル受け部材７１８は、一端側が後桁７１のパネル受け部材嵌合溝部７１６に嵌合して取り付けられ、他端側が屋根体６のパネル材６４の上面に押圧されることで、パネル材６４の後端部を保持する。
【００２２】
後桁側ホロー部７１２は、屋根体６の後側の端部の下方に配置される。後桁側ホロー部７１２は、後側の下方側から前側の上方側に向かって斜め上方に延びる空間を有する中空状に形成されている。後桁側ホロー部７１２は、後桁側ホロー部７１２の前側の端部における上方に突出する部分において、屋根体６の後側の端部を下方側から支持する。
【００２３】
横樋構成部７１３は、上方が開放された枠状に形成され、屋根体６を流れる水が流入されて、溜められる。横樋構成部７１３は、後桁側ホロー部７１２の上部に配置される。後桁側ホロー部７１２及び横樋構成部７１３は、後桁７１における支柱２側に配置され、支柱２に寄った位置に配置される。横樋構成部７１３の前側の部分は、後桁側ホロー部７１２の前側の突出する部分の側部に配置されている。横樋構成部７１３は、先端側側壁部７１３ａと、傾斜面部７１３ｂ（下り傾斜部）と、水平底面部７１３ｃと、基端側側壁部７１３ｄと、を有する。
【００２４】
基端側側壁部７１３ｄは、横樋構成部７１３における支柱２側の側面を構成する。基端側側壁部７１３ｄには、屋根体６の長手方向における仕切箱体３（後述）が配置される所定の位置に、側部排水開口部（排水口）７１３ｅが形成されている。本実施形態においては、屋根体６の長手方向の中央に配置される支柱２のみに仕切箱体３が取り付けられており（図１参照）、側部排水開口部（排水口）７１３ｅは、屋根体６の長手方向の中央の支柱２に取り付けられる仕切箱体３が配置される位置に形成されている。側部排水開口部７１３ｅには、後述する誘導部材７１７が取り付けられる。誘導部材７１７は、側部排水開口部７１３ｅから排出された水を仕切箱体３に導出する。
【００２５】
誘導部材７１７は、図４及び図５に示すように、横樋構成部７１３に流れ込んで滞留した水を、仕切箱体３の縦樋構成空間３０１（後述）に誘導する。誘導部材７１７は、長手方向に見た場合に、傾斜筒部７１７ａと、傾斜筒部７１７ａの下端部に接続され上下方向に延びる垂直筒部７１７ｂと、を有して形成され、側部開口部７１７ｃと、下端開口部７１７ｄと、を有する。誘導部材７１７は、一方側の側部開口部７１７ｃが横樋構成部（樋部）７１３の基端側側壁部７１３ｄの側面に形成された側部排水口（排水口）７１３ｅに接続されると共に、他方側の下端開口部７１７ｄが仕切箱体３の縦樋構成空間３０１に挿入されて、縦樋構成空間３０１の内部に開口される。
【００２６】
傾斜面部７１３ｂは、側部排水開口部７１３ｅ側に向かうにしたがって下る形状に形成される。横樋構成部７１３に流れ込んだ水は、傾斜面部７１３ｂにより、側部排水開口部７１３ｅ側に流され、効率よく、水圧により、側部排水開口部７１３ｅから横樋構成部７１３の外部に排出される。
【００２７】
後桁凹部７１４は、後桁７１の下部における支柱２側の端部において、下方が開放すると共に下方側から上方側に窪む凹状に形成される。後桁凹部７１４は、底辺部７１４ａと、目隠し辺部７１４ｂ（辺部）と、を有する。
【００２８】
底辺部７１４ａは、後桁７１の下部において、支柱２側の端部から、支柱２と反対側に水平方向に延びる。底辺部７１４ａには、後桁側スライド溝７１４ｃが形成される。目隠し辺部７１４ｂは、底辺部７１４ａにおける後桁側スライド溝７１４ｃに対して支柱２と反対側に形成され、後桁側スライド溝７１４ｃよりも下方側において、上下方向に延びる。目隠し辺部７１４ｂは、底辺部７１４ａに形成される後桁側スライド溝７１４ｃが下方側から視認し難いように、後桁側スライド溝７１４ｃを隠すように上下方向に延びる。
【００２９】
後桁側スライド溝７１４ｃは、図５に示すように、後桁側ホロー部７１２における前後方向の後側の下部に形成され、梁４が延びる方向に交差する方向である屋根体６の長手方向に延びる（図９参照）。後桁側スライド溝７１４ｃは、後桁７１の下部における支柱２側の端部に配置される。
【００３０】
後桁側スライド溝７１４ｃには、図５に示すように、後桁ブラケット７１１（支持部）にボルト７１１ａにより共締めされたスライド板部材７１１ｂが屋根体６の長手方向に移動可能に取り付けられる。つまり、後桁側スライド溝７１４ｃには、後桁ブラケット７１１が取り付けられる。これにより、後桁側スライド溝７１４ｃに配置されたスライド板部材７１１ｂには、後桁ブラケット７１１を介して支柱２が取り付けられる。支柱２は、後桁側スライド溝７１４ｃに配置されたスライド板部材７１１ｂに接続されているため、後桁側スライド溝７１４ｃが延びる方向に沿って移動可能に、後桁側スライド溝７１４ｃに取り付けられている。
【００３１】
後桁７１における後桁側スライド溝７１４ｃの下方には、後桁側スライド溝７１４ｃを覆うように、後桁カバー部材７１９が取り付けられている。これにより、後桁側スライド溝７１４ｃは、後桁カバー部材７１９により、下方側から覆われる。
【００３２】
後桁側嵌合部７１５は、後桁側ホロー部７１２における前後方向の前側の側部に設けられる。後桁側嵌合部７１５は、２つの嵌合突出部７１５ａ、７１５ｂを有する。後桁側嵌合部７１５には、照明取付枠体８の枠体側嵌合部８４（後述）が嵌合されて、照明取付枠体８が取付けられる。後桁７１と照明取付枠体８との間には、枠体側配線空間８６が形成される。枠体側配線空間８６には、後述する配線ケーブル１２ａ、１２ｂが配置される。
【００３３】
以上のように構成される後桁７１は、支柱２側の端部において、上方から下方に向けて、横樋構成部７１３、後桁側ホロー部７１２、後桁側スライド溝７１４ｃの順の３段構造に構成される。横樋構成部７１３、後桁側ホロー部７１２及び後桁側スライド溝７１４ｃの支柱２側の側面は、上下方向に延びる平面状に形成され、支柱２側に寄って配置される。横樋構成部７１３、後桁側ホロー部７１２及び後桁側スライド溝７１４ｃの支柱２側の側面は、誘導部材７１７及び後桁ブラケット７１１が下方から視認されないように、支柱２側に寄った位置に配置される。
【００３４】
照明取付枠体８は、後桁７１の前後方向の前側において、後桁側嵌合部７１５に嵌合して取り付けられる。なお、本実施形態では、照明取付枠体８は、取り付けの強度を向上させるために、後桁側嵌合部７１５に嵌合させた上で、ネジ止めして、後桁７１に固定される。ここで、照明取付枠体８を後桁側嵌合部７１５に取り付ける場合には、照明取付枠体８を後桁側嵌合部７１５に嵌合させて、照明取付枠体８から手を放した状態で、ネジ部材８０１により、直接照明取付溝部８２の内部に形成される取付穴８０２を介して、ネジ止めして、後桁７１に固定できる。よって、照明取付枠体８を、後桁７１に、簡単に取り付けることができ、照明取付枠体８を取り付ける施工性を向上できる。なお、本実施形態においては、照明取付枠体８を、ネジ止めで固定したが、これに限定されず、照明取付枠体８は、ネジ止めにより固定しなくても、後桁側嵌合部７１５に嵌合して取り付けることができる。
【００３５】
照明取付枠体８は、枠体側露出傾斜下面８１（枠側露出平面）と、直接照明装置１２が配置される直接照明取付溝部８２と、間接照明装置１３を配置可能な間接照明取付部８３と、上側係止片８４２及び下側係止片８４１を有する枠体側嵌合部８４と、傾斜延在辺８５と、を備える。照明取付枠体８には、直接照明装置１２（図５参照）又は間接照明装置１３（図６参照）を取り付けることが可能である。
【００３６】
枠体側露出傾斜下面８１は、図５に示すように、照明取付枠体８の下面により形成され、後側から前側に向かうにしたがって、下方から上方に向かうように直線状に延びる傾斜面により形成される。枠体側露出傾斜下面８１は、下方の外部に露出される面である。
枠体側露出傾斜下面８１は、後桁７１の下方の外部に露出される下面である後桁側露出傾斜下面７１２ａ（桁側露出平面）と略同一平面上に配置される。これにより、屋根体６を下方から見た場合に、凹凸がない状態で視認されるため、見栄えが向上され、意匠性を向上できる。なお、「略同一平面上」とは、完全な同一平面上でなくてもよく、平面が連続するように視認されて、意匠性を高めることができれば、多少ずれて配置されていてもよいことを意味する（後述する「略同一平面上」も同じ）。
【００３７】
直接照明取付溝部８２は、照明取付枠体８の下方側に形成される。直接照明取付溝部８２は、枠体側露出傾斜下面８１から上方側に凹状に窪むと共に下方に開放した溝状に形成される。直接照明取付溝部８２の内部には、直接照明装置１２が収容されて、ネジ止めされる。直接照明装置１２は、屋根体６の長手方向に所定長さ延びて形成される。直接照明取付溝部８２には、直接照明装置１２が、屋根体６の前側の斜め下方に光を直接的に照射するように配置される。
【００３８】
直接照明取付溝部８２の入口側の縁部には、一対の係止溝８２１ａ，８２１ｂで構成される被覆カバー部材ホルダー８２１（カバー部材取付部）が形成されている。
また、直接照明取付溝部８２の入口側の縁部には、一対の係止溝８２１ａ，８２１ｂで構成される被覆カバー部材ホルダー８２１の内側において、一対の係止溝８２２ａ，８２２ｂで構成されるアクリル板ホルダー８２２（カバー部材取付部）が形成されている。
【００３９】
アクリル板ホルダー８２２には、直接照明取付溝部８２に直接照明装置１２を取り付けた後に、例えば、透過性を有するアクリル板８２３（カバー部材）を取り付け可能である。アクリル板８２３は、直接照明取付溝部８２に配置された直接照明装置１２よりも外部側に配置される。アクリル板８２３の下面は、枠体側露出傾斜下面８１及び後桁側露出傾斜下面７１２ａと略同一平面上に配置される。
被覆カバー部材ホルダー８２１には、図１に示すように、直接照明取付溝部８２に直接照明装置１２を取り付けた場合に、アクリル板８２３が取り付けられない箇所において、図１に示すように、被覆カバー部材８２４が取り付けられる。また、被覆カバー部材ホルダー８２１には、後述するように、直接照明取付溝部８２に直接照明装置１２を取り付けない場合に、図７に示すように、被覆カバー部材８２４が取り付けられる。
【００４０】
直接照明装置１２における後桁７１の外部から配線される配線ケーブル１２ａ（ケーブル）は、図５に示すように、外部から仕切箱体３の配線空間３０２に通されて、後桁７１の後桁側ホロー部７１２を貫通して後桁側ホロー部７１２の内部を通されて、後桁７１と照明取付枠体８との間に形成される枠体側配線空間８６を通されて、直接照明取付溝部８２に配置される直接照明装置１２に接続される。また、複数の直接照明装置１２を屋根体６の長手方向に直列に接続する配線ケーブル１２ｂは、枠体側配線空間８６において屋根体６の長手方向に沿うように配置される。そのため、配線ケーブル１２ａ，１２ｂは、屋根構造体２０の下方からは視認されない箇所に配線される。これにより、意匠性を向上できる。
【００４１】
間接照明取付部８３は、図５及び図６に示すように、照明取付枠体８の上方側に形成される。間接照明装置１３により屋根体６の下方に光を間接的に照らす場合（間接照明）には、直接照明装置１２により屋根体６の下方に光を直接的に照らす場合（直接照明）（図５参照）の配置に代えて、図６に示すように、間接照明取付部８３に、間接照明装置１３を配置する。
【００４２】
間接照明取付部８３は、間接照明装置１３を配置可能に、間接照明取付傾斜辺８３ａと、照明取付枠体８の上部と屋根体６の下面との間に形成される配置空間８３ｂと、を有している。
間接照明取付傾斜辺８３ａは、光の照射方向を考慮して、支柱２と反対側が下方になるように傾斜するように形成される。間接照明取付傾斜辺８３ａには、間接照明装置１３が配置されて、ネジ止めされている。間接照明装置１３は、屋根体６の長手方向に所定長さ延びて形成される。本実施形態においては、図７に示すように、間接照明装置１３は、９個設けられる。９個の間接照明装置１３は、それぞれ、離間して配置され、屋根体６の長手方向に直線状に並んで配置される。９個の間接照明装置１３は、配線ケーブル１３ｂにより直列接続されている。間接照明装置１３は、それぞれ、間接照明取付部８３には、図６に示すように、間接照明装置１３が、斜め上方側に向けて光を照射して、屋根体６の下面に反射された光が、下方に向けて間接的に照射されるように配置される。
【００４３】
間接照明取付部８３に間接照明装置１３を取り付ける場合には、図６に示すように、直接照明取付溝部８２には、直接照明装置１２を取り付けずに、直接照明取付溝部８２を覆うように、被覆カバー部材ホルダー８２１に、被覆カバー部材８２４（カバー部材）を配置する。被覆カバー部材８２４の下面は、枠体側露出傾斜下面８１及び後桁側露出傾斜下面７１２ａと略同一平面上に配置される。
【００４４】
間接照明装置１３における後桁７１の外部から配線される配線ケーブル１３ａは、図６に示すように、前述の直接照明装置１２の配線ケーブル１２ａと同様に、外部から仕切箱体３の配線空間３０２に通されて、後桁７１の後桁側ホロー部７１２を貫通して後桁側ホロー部７１２の内部を通されて、後桁７１と照明取付枠体８との間に形成される枠体側配線空間８６を通されて、間接照明取付部８３に配置される間接照明装置１３に接続される。また、複数の間接照明装置１３を屋根体６の長手方向に繋ぐ配線ケーブル１３ｂは、屋根体６の長手方向に沿うように配線される配線ケーブル１３ｂは、枠体側配線空間８６において屋根体６の長手方向に沿うように配置される。そのため、配線ケーブル１３ａ，１３ｂは、屋根構造体２０の下方からは視認されない箇所に配線される。これにより、意匠性を向上できる。
【００４５】
傾斜延在辺８５は、間接照明取付部８３の間接照明取付傾斜辺８３ａにおける支柱２と反対側の端部に接続される。傾斜延在辺８５は、上面に水が滞留することを抑制するために、間接照明取付部８３の間接照明取付傾斜辺８３ａにおける支柱２と反対側の端部から、支柱２と反対側に下り傾斜して直線状に延びて形成される。また、傾斜延在辺８５は、間接照明取付部８３に配置された間接照明装置１３が下方から視認し難いように、間接照明取付傾斜辺８３ａにおける支柱２と反対側の端部から、支柱２と反対側に延びるように形成される。これにより、傾斜延在辺８５は、間接照明装置１３が下方から視認し難いように配置される目隠し部を構成する。よって、傾斜延在辺８５を形成することで、意匠性を向上できる。
【００４６】
以上のように構成される照明取付枠体８を後桁７１に取り付ける場合には、照明取付枠体８を後桁７１に取り付けた後に、直接照明装置１２と間接照明装置１３とを選択的に、照明取付枠体８に取り付ける（照明取付工程）。更に、直接照明装置１２と間接照明装置１３とを選択的に、照明取付枠体８に取り付けた後に、照明取付枠体８の枠体側嵌合部８４を後桁７１の前側の側部の後桁側嵌合部７１５に嵌合させることで、照明取付枠体８を後桁７１に取り付ける（枠体取付工程）。これにより、直接照明装置１２と間接照明装置１３とを選択的に、照明取付枠体８に簡単に取り付けることができる。また、支柱２、梁４、前桁７２、後桁７１を組み立てた後に、照明取付枠体８を、後桁７１に取り付けることができる。なお、照明取付枠体８を後桁７１に取り付ける順はこれに限定されず、照明取付枠体８を後桁７１に取り付けた後に、直接照明装置１２と間接照明装置１３とを選択的に、照明取付枠体８に取り付けてもよい。
【００４７】
３つの梁４は、図１に示すように、屋根体６の長手方向に離間して並んで配置される。３つの梁４は、それぞれ、前後方向に延びると共に、支柱２側に下る下り傾斜で形成される。梁４の基端側（後側）の端部は、図２に示すように、Ｌ字状の連結部材５（後述）を介して、支柱２の上端部に接続される。
【００４８】
３つの梁４の先端部４１における前側の先端面４１１（梁４が延びる方向の端部において水平方向の外側を向く端面、上下方向に延びる端面）には、図２及び図８に示すように、長手方向に延びる前桁７２が取り付けられている。
【００４９】
前桁７２は、図８に示すように、断面が中空状の中空部を有するホロー構造の前桁側ホロー部７２１と、一対の前桁側スライド溝７２２と、吊り下げ部材取付部７２３と、を有する。前桁側ホロー部７２１は、上下方向（高さ方向）に所定幅の大きさで形成され、角筒状に形成される。屋根体６に積雪時などに荷重が作用した場合などにおいて、屋根体６を吊り下げて支持するための強度を確保するために、前桁側ホロー部７２１の高さ方向の大きさは、前桁７２の強度を確保可能な程度に大きく形成されている。
【００５０】
一対の前桁側スライド溝７２２は、前桁側ホロー部７２１の後側の側面７２１ｂに、上下方向に離間して形成される。前桁側ホロー部７２１の側面７２１ｂは、上下方向に延びる面であり、梁４の先端部４１における前側の先端面４１１に対向して配置される。一対の前桁側スライド溝７２２は、支柱２側に開放して形成され、それぞれ、前桁７２が延びる方向に沿って、梁４が延びる方向に交差する方向である屋根体６の長手方向に延びる。
【００５１】
一対の前桁側スライド溝７２２には、図８に示すように、梁４の先端部４１に固定されたスライドボルト４２の頭部４２１が屋根体６の長手方向に移動可能に取り付けられる。スライドボルト４２は、Ｃ字状金具４３に固定されており、Ｃ字状金具４３は、梁４の先端部４１の上面に、ボルト４４により固定されている。これにより、一対の前桁側スライド溝７２２には、スライドボルト４２を介して、梁４の先端部４１が取り付けられる。梁４は、一対の前桁側スライド溝７２２に配置されたスライドボルト４２に接続されているため、一対の前桁側スライド溝７２２が延びる方向に沿って移動可能に、前桁側スライド溝７２２に取り付けられている。
【００５２】
吊り下げ部材取付部７２３は、図８に示すように、前桁側ホロー部７２１の下部に形成される。吊り下げ部材取付部７２３には、吊り下げ部材７３がネジ部材７２３ａにより取り付けられる。吊り下げ部材７３は、前桁７２の下部に取り付けられ、吊り下げ部材７３の下端部は、ネジ部材７３１により、屋根体６の上面に固定される。これにより、屋根体６は、前桁７２の下部に吊られた状態で、梁４に取り付けられる。
【００５３】
以上のように構成される本実施形態の屋根構造体２０は、後桁７１が後桁側スライド溝７１４ｃを備え、前桁７２が前桁側スライド溝７２２を備えている。そのため、図９に示すように、支柱２を設置する際に、後桁側スライド溝７１４ｃに沿って支柱２を移動させることが可能であると共に、梁４を前桁側スライド溝７２２に沿って移動させることが可能である。これにより、支柱２を設置位置が制限されていても、支柱２及び梁４の位置を屋根体６の長手方向に沿って変更することができる。よって、支柱２における屋根体６の長手方向の設置位置の自由度を向上させることができる。
【００５４】
また、実施形態の屋根構造体２０においては、梁４の先端部４１における前側の先端面４１１には、図２及び図８に示すように、長手方向に延びる前桁７２が取り付けられている。
【００５５】
ここで、梁４の下面に、前桁７２を取り付けることが考えらえる。前桁７２を梁４の下面に取り付けた場合には、前桁７２の高さ方向の大きさの分だけ、屋根体６の高さが低くなる。一方、屋根体６の高さを確保したい場合には、梁４の下面に取り付ける前桁７２の高さ方向の大きさを小さくせざるを得ない。しかし、前桁７２の高さ方向の大きさが小さい場合には、屋根体６に積雪時などに荷重が作用した場合などにおいて、屋根体６を吊り下げて支持するための、前桁７２の強度が不足する。
【００５６】
また、梁４の側面（梁４における梁４が延びる方向の途中の側面）に、前桁７２を取り付けることが考えられる。前桁７２を梁４の側面に取り付けた場合には、梁４を、前桁側スライド溝７２２に沿って、屋根体６の長手方向（梁４が延びる方向に交差する方向）に移動することができなくなる。
【００５７】
これに対して、本発明においては、前桁７２を梁４の先端部４１に取り付けた。そのため、前桁７２の高さ方向の大きさを大きくでき、前桁７２の強度を確保することができる。また、前桁７２を梁４の先端部４１に取り付けたため、前桁７２を梁４の下面に取り付けるよりも、屋根体６の高さを維持できる。また、前桁７２を梁４における途中の側面に取り付けずに、前桁７２を梁４の先端部４１に取り付けたため、梁４を、前桁側スライド溝７２２に沿って、屋根体６の長手方向（梁４が延びる方向に交差する方向）に移動させることができる。
【００５８】
屋根体６について説明する。屋根体６は、図２及び図９に示すように、支柱２の側方に配置されている。詳細には、屋根体６は、支柱２における梁４が配置される側の側面の側方に配置されている。屋根体６の基端側（支柱２側、図９の紙面における上方側）の下面は、後桁７１に支持される。屋根体６の先端側（支柱２とは反対側の前側、図９の紙面における下方側）の上面は、一対の梁４の先端部４１に取り付けられた前桁７２の下部に、吊り下げ部材７３（図８参照）を介して吊られている。屋根体６の先端側（支柱２とは反対側の前側、図９の紙面における下方側）は、前桁７２及び吊り下げ部材７３を介して、梁４に接続されている。
【００５９】
屋根体６は、図９に示すように、前枠６１と、一対の側枠垂木６２，６２と、複数の中間垂木６３（形材）と、複数のパネル材６４（面材）と、一対の外枠カバー部材６６，６６と、垂木端部カバー６７と、前枠カバー部材６８と、を有する。前枠６１、一対の側枠垂木６２，６２、及び複数の中間垂木６３は、枠組みされている。前枠カバー部材６８及び一対の外枠カバー部材６６，６６は、屋根体６の外形を形成する。
【００６０】
前枠６１は、屋根体６の先端側の端部側において、駐輪場１０の屋根構造体２０の長手方向に延びる。
一対の側枠垂木６２，６２は、それぞれ、前枠６１の長手方向の両端部から、梁４が延びる方向に延びる。側枠垂木６２の支柱２側の端部の側部は、図５及び図６に示すように、支柱２側の側方に向けて開口する小口面６２ａを構成する。小口面６２ａは、後桁７１の横樋構成部７１３における支柱２と反対側の上方において、支柱２側の側方に向けて開口する。
【００６１】
複数の中間垂木６３（形材）は、梁４が延びる方向に延びて形成され、前枠６１及び一対の側枠垂木６２，６２の内側を仕切るように長手方向に並んで配置される。中間垂木６３の支柱２側の端部の側部は、図５及び図６に示すように、支柱２側の側方に向けて開口する小口面６３ａを構成する。小口面６３ａは、後桁７１の横樋構成部７１３（後述）における支柱２と反対側の上方において、支柱２側の側方に向けて開口する。
【００６２】
前枠６１及び一対の側枠垂木６２，６２の内側において、複数の中間垂木６３で仕切られた部分には、パネル材６４（面材）が長手方向に並べて取り付けられている。パネル材６４の後側の端部は、後桁７１により下面側から支持されている。
【００６３】
前枠カバー部材６８は、前枠６１の前側の端部の端面の外側に配置される。前枠カバー部材６８は、前枠６１の前側の端部の端面を覆うように、梁４が延びる方向に延びる。
一対の外枠カバー部材６６，６６は、それぞれ、側枠垂木６２の側面の外側に配置される。外枠カバー部材６６は、側枠垂木６２の側面を覆うように、梁４が延びる方向に延びる。
【００６４】
垂木端部カバー６７は、屋根体６の長手方向に延びる長尺状に形成される。垂木端部カバー６７は、図５及び図６に示すように、側枠垂木６２の小口面６２ａ及び中間垂木６３の小口面６３ａの支柱２側において、側枠垂木６２の小口面６２ａ及び中間垂木６３の小口面６３ａに対向して配置される。垂木端部カバー６７は、取付上面板６７１と、側面板６７２と、傾斜カバー板６７３と、縦カバー板６７４と、を有する。
【００６５】
取付上面板６７１は、側枠垂木６２の端部の上面及び中間垂木６３の端部の上面に平行な平面状に形成され、側枠垂木６２の端部の上面及び中間垂木６３の端部の上面を屋根体６の長手方向に繋ぐように、側枠垂木６２の端部の上面及び中間垂木６３の端部の上面に配置される。
側面板６７２は、取付上面板６７１における支柱２側の端部から、側枠垂木６２の小口面６２ａ及び中間垂木６３の小口面６３ａに沿って下方に延びる。
傾斜カバー板６７３は、側面板６７２の下端部側において下端部よりも上方側の部分から支柱２側に下り傾斜で延びる。
縦カバー板６７４は、傾斜カバー板６７３の下端部から下方に向けて延びる。
【００６６】
以上のように構成される垂木端部カバー６７は、側枠垂木６２の小口面６２ａ及び中間垂木６３の小口面６３ａを覆うように配置される。これにより、側枠垂木６２の小口面６２ａ及び中間垂木６３の小口面６３ａは、支柱２側の下方から視認されないように、垂木端部カバー６７により覆われる。よって、意匠性を向上できる。
また、垂木端部カバー６７は、屋根体６の上面を流れた水が衝突するように下方に延びて配置される。そのため、屋根体６の上面を流れた水を、横樋構成部７１３（後述）に向けて落とすことで、屋根体６の上面を流れた水が、後桁７１の上部の横樋構成部７１３（後述）を飛び越えて下方に落下することを低減することができる。
【００６７】
中間垂木６３は、図１０に示すように、垂木本体６３１と、垂木カバー部材６３２と、を有する。中間垂木６３は、垂木本体６３１に垂木カバー部材６３２が取り付けられた状態において、パネル材６４の縁部が配置される凹状のパネル飲み込み溝６３３（飲み込み溝）と、ビード材６５（保持部材）が配置されるビード配置溝６３４と、フィン６３５（突起）と、を有する。垂木本体６３１は、アルミ材料の押出し形材で形成される。
【００６８】
ビード配置溝６３４は、パネル飲み込み溝６３３の内部における手前側に配置される。ビード配置溝６３４は、パネル飲み込み溝６３３手前側において、上下に離間して一対設けられる。ビード配置溝６３４には、ビード材６５（保持部材）が配置される。ビード材６５は、パネル飲み込み溝６３３の内部における手前側に配置される。
【００６９】
上下に離間して配置される一対のビード配置溝６３４に配置されるビード材６５の間には、パネル飲み込み溝６３３に配置されたパネル材６４が配置される。上下に離間したビード材６５には、パネル材６４の上面及び下面が当接する。これにより、一対のビード材６５は、パネル材６４を挟み込んで、パネル材６４を保持する。
【００７０】
フィン６３５は、パネル飲み込み溝６３３の内部における奥側において、パネル材６４の下面６４ａに対向して配置される。フィン６３５は、垂木本体６３１の内部に形成されており、アルミ材料で形成される。フィン６３５は、垂木本体６３１の内部におけるパネル飲み込み溝６３３の下方側の内面から、パネル材６４の下面６４ａ側に突出する。
【００７１】
フィン６３５は、パネル飲み込み溝６３３の手前側から奥側に向かうにしたがってパネル材６４の下面６４ａに近づくように傾斜して形成される。このように、フィン６３５は、パネル飲み込み溝６３３の奥側に向けて傾斜している。よって、例えば、パネル材６４が寒暖の温度差で伸び縮みした場合に、パネル材６４がパネル飲み込み溝６３３の手前側から奥側に移動しても、フィン６３５は、パネル材６４の進行を妨げない。
【００７２】
以上のように構成されるフィン６３５は、図１０に示すように、パネル材６４に対して吹上の負荷が作用した（図１０における右側のパネル材６４の二点鎖線で示した部分）としても、パネル材６４の下面６４ａがフィン６３５に当接する。これにより、フィン６３５は、パネル材６４が傾いた場合に、パネル材６４の下面６４ａに当接して、負荷を吸収して、パネル材６４を保持する強度を向上できる。よって、フィン６３５を設けるだけの簡易な構成で、パネル材６４を保持する強度を向上させることができる。また、フィン６３５は、パネル飲み込み溝６３３の手前側から奥側に向かうにしたがってパネル材６４の下面６４ａに近づくように傾斜して形成されるため、パネル材６４の進行を妨げない状態で、パネル材６４を保持する強度を向上できる。
【００７３】
仕切箱体３は、図１に示すように、３つの支柱２のうち、屋根体６の長手方向の両端部側に配置される支柱２に取り付けられている。仕切箱体３は、図４に示すように、支柱２の長手方向の一方側（図４における手前側）の側面に取り付けられる。仕切箱体３は、後桁７１における屋根体６が配置される側とは反対側に配置されている。
【００７４】
仕切箱体３の内部には、縦樋構成空間３０１と、直接照明装置１２の配線ケーブル１２ａや間接照明装置１３の配線ケーブル１３ａ（図５、図６参照）が配置される配線空間３０２と、が形成される。本実施形態においては、支柱２の屋根体６側の側面と屋根体６側の支柱カバー部材２３との間の空間に後桁ブラケット７１１の一部が配置されるため、支柱２の屋根体６側の側面と屋根体６側の支柱カバー部材２３との間の空間を、縦樋として構成することや、配線ケーブル１２ａ，１３ａを配置する空間として構成することができなかった。そのため、本発明では、支柱２における支柱カバー部材２３が配置されない側面に仕切箱体３を設けて、仕切箱体３の内部に、縦樋構成空間３０１と、配線ケーブル１２ａ，１３ａが配置される配線空間３０２と、を備えるように構成した。仕切箱体３の内部において、縦樋構成空間３０１及び配線空間３０２は、屋根体６の前後方向（梁４が延びる方向）に並んで、屋根体６側から、配線空間３０２、縦樋構成空間３０１の順に配置される。配線空間３０２は、縦樋構成空間３０１よりも、屋根体６側に配置される。
【００７５】
仕切箱体３は、図４及び図１１に示すように、ベース部材３１と、縦樋側カバー部材３２と、配線側カバー部材３３と、天面カバー部材３４（図４参照）と、を有する。
ベース部材３１は、図１１に示すように、支柱２の長手方向の一方側の側面に取り付けられるベース板３１１と、ベース板３１１の後桁７１と反対側の端部においてベース板３１１から立設される樋側突出壁３１２と、ベース板３１１の後桁７１側の端部においてベース板３１１から立設される配線側突出壁３１３と、樋側突出壁３１２と配線側突出壁３１３との間においてベース板３１１から立設される仕切壁３１４（仕切部材）と、を有する。
【００７６】
ベース板３１１は、前後方向に延びると共に上下方向に延びる。ベース板３１１は、ネジ部材３１１ａにより、支柱２の一方側の側面に固定されている。
【００７７】
樋側突出壁３１２は、長手方向に延びると共に上下方向に延びる。樋側突出壁３１２には、縦樋側カバー部材３２の固定用壁板部３２２が、ネジ部材３２２ａにより固定されている。
【００７８】
仕切壁３１４は、縦樋を構成する縦樋構成空間３０１とケーブルが配置される配線空間３０２（配線の空間）とを仕切るように、ベース板３１１に立設されて形成されている。仕切壁３１４は、長手方向に延びると共に上下方向に延びる。仕切壁３１４の先端には、縦樋構成空間３０１側に突出する縦樋側突出片３１４ａと、配線空間３０２側に突出する配線側突出片３１４ｂとが、形成されている。
【００７９】
配線側突出壁３１３は、長手方向に延びると共に上下方向に延びる。配線側突出壁３１３の外側の側面には、外方に突出する２つの突出片３１３ａ、３１３ｂが形成されている。突出片３１３ａは、配線側突出壁３１３の支柱２側に配置され、突出片３１３ｂは、配線側突出壁３１３の先端側に配置されている。
【００８０】
縦樋側カバー部材３２は、図１１に示すように、縦樋構成空間３０１を覆うようにベース部材３１（仕切箱体３）に取り付けられる。縦樋構成空間３０１には、誘導部材７１７（図４参照）を介して、横樋構成部７１３の側部排水口（排水口）７１３ｅから排出された水が流される。
【００８１】
縦樋側カバー部材３２は、断面が略Ｆ字形状に形成され、カバー本体壁部３２１と、固定用壁板部３２２と、側部カバー壁部３２３と、を有する。
【００８２】
カバー本体壁部３２１は、縦樋構成空間３０１を塞ぐように、前後方向に延びると共に上下方向に延びる。カバー本体壁部３２１の前側の端部には、係合片３２１ｂが形成されている。
【００８３】
固定用壁板部３２２は、カバー本体壁部３２１の内面から、ベース部材３１の樋側突出壁３１２に沿うように支柱２側に立設されると共に、上下方向に延びる。固定用壁板部３２２は、ネジ部材３２２ａにより、ベース部材３１の樋側突出壁３１２に固定される。
【００８４】
側部カバー壁部３２３は、カバー本体壁部３２１における前後方向の一端側の端部から支柱２側に立設されると共に、上下方向に延びる。側部カバー壁部３２３には、ネジ部材３２２ａ及びドライバー（図示せず）の先端が挿通可能な貫通開口３２３ａが形成される。貫通開口３２３ａには、被覆キャップ３２３ｂが取り付けられる。
【００８５】
縦樋側カバー部材３２をベース部材３１に取り付ける場合には、縦樋側カバー部材３２の係合片３２１ｂを仕切壁３１４の縦樋側突出片３１４ａに係合させて、縦樋側カバー部材３２をベース部材３１に被せる。そして、貫通開口３２３ａから、ネジ部材３２２ａ及びドライバーを挿入して、縦樋側カバー部材３２の樋側突出壁３１２とベース部材３１の固定用壁板部３２２とが重なった位置において、貫通開口３２３ａの貫通方向における仕切箱体３の内部側において、ネジ部材３２２ａにより、縦樋側カバー部材３２の樋側突出壁３１２とベース部材３１の固定用壁板部３２２とを固定する。これにより、縦樋側カバー部材３２は、ネジ部材３２２ａにより、ベース部材３１に固定される（取り付けられる）。
【００８６】
配線側カバー部材３３は、図１１に示すように、配線空間３０２を覆うようにベース部材３１（仕切箱体３）に取り付けられる。本実施形態においては、配線空間３０２には、円筒状の管状部材３０２ａが配置され、管状部材３０２ａの内部には、直接照明装置１２の配線ケーブル１２ａや間接照明装置１３の配線ケーブル１３ａ（図５、図６参照）が配置される（図示せず）。
【００８７】
配線側カバー部材３３は、断面がＬ字形状に形成され、屋根体６の長手方向に延びる端部側壁部３３１と、端部側壁部３３１の支柱２と反対側の端部から前後方向の後側に延びる側部側壁部３３２と、を有する。
端部側壁部３３１の内面には、長手方向の支柱２側の端部側に形成される係合突起３３１ａと、長手方向の途中に形成される湾曲片部３３１ｂと、が形成される。
側部側壁部３３２の内面には、前後方向における端部側壁部３３１と反対側の端部側において、係合突起３３２ａが形成される。
【００８８】
配線側カバー部材３３をベース部材３１に取り付ける場合には、配線側カバー部材３３の端部側壁部３３１の端部側の係合突起３３１ａを、ベース部材３１の配線側突出壁３１３の突出片３１３ａに係合させると共に、配線側カバー部材３３の側部側壁部３３２の端部側の係合突起３３２ａを、仕切壁３１４の配線側突出片３１４ｂに係合させることで、配線側カバー部材３３をベース部材３１に嵌合する。これにより、配線側カバー部材３３は、ベース部材３１に嵌合して固定される（取り付けられる）。ここで、配線側カバー部材３３は、断面がＬ字形状に形成されるため、配線側カバー部材３３を、ベース部材３１に着脱しやすい。これにより、直接照明装置１２の配線ケーブル１２ａや間接照明装置１３の配線ケーブル１３ａの配線を、後からでも行うことができる。また、メンテナンスも容易である。
【００８９】
天面カバー部材３４は、図４に示すように、平板状に形成される。天面カバー部材３４は、ベース部材３１の上端部、縦樋側カバー部材３２の上端部及び配線側カバー部材３３の上端部に跨って配置される。天面カバー部材３４は、ベース部材３１の上方側、縦樋側カバー部材３２の上方側及び配線側カバー部材３３の上方側を覆うように配置される。天面カバー部材３４は、ネジ部材３４１（図４参照）により、縦樋側カバー部材３２のカバー本体壁部３２１の上端部に形成されるネジ孔３２１ａ（図１１参照）に固定される。これにより、天面カバー部材３４は、縦樋側カバー部材３２と一体的に、ベース部材３１に着脱可能に構成される。
【００９０】
支柱２と梁４とを連結する連結構造について説明する。
連結部材５は、図３に示すように、支柱２と梁４とを連結する。連結部材５は、駐輪場１０の屋根構造体２０を長手方向に見た場合に、全体としてＬ字状に形成され、断面が筒状に形成される。連結部材５は、図１２に示すように、上下方向に延びる縦筒部５１（縦部材）と、縦筒部５１の上端部から縦筒部５１に交差する方向に延びる横筒部５２（横部材）と、を有する。横筒部５２は、縦筒部５１側が下る下り傾斜となるように直線状に延びると共に縦筒部５１に接続される。横筒部５２は、縦筒部５１の上端部における一方の側面を切り欠いた切り欠き部分５１３に配置されて横筒部５２に連結されている。
【００９１】
縦筒部５１は、図１３に示すように、断面がＬ字状の一対のＬ字状板材５１１，５１１を、反転させた状態で組み合わせて接合して構成される。一対のＬ字状板材５１１，５１１は、一対のＬ字状板材５１１，５１１同士の重なり合った部分において、互いが接合されている。
【００９２】
縦筒部５１は、中空部分を有する縦筒側中空部５１０ａ（筒状部）と、縦筒側中空部５１０ａからＬ字状板材５１１の端部が突出して形成される縦筒突出端部５１０ｂ（突出端部）と、を有する。縦筒部５１は、断面がＬ字状の一対のＬ字状板材５１１，５１１を、反転させた状態で組み合わせてされているため、互いを接合する前に、組み合わせの位置をずらすことで、縦筒側中空部５１０ａの幅の大きさを調整することができる。これにより、縦筒部５１における支柱２の内部に配置される部分の大きさを調整することができる。よって、縦筒部５１の大きさを調整できるため、サイズの異なる支柱２に対応できる。
【００９３】
縦筒部５１は、図１３に示すように、支柱２の内部に配置される。縦筒突出端部５１０ｂは、縦筒部５１が支柱２に収容された状態において、支柱２の内面に対向して配置されることで、支柱２に対して、位置合わせを行うことができる（位置合わせ部を構成する）。
【００９４】
ここで、縦筒部５１の上端部の内部には、図１２に示すように、横筒部５２の一端部が配置される。そのため、縦筒部５１における横筒部５２が延出される側の側面５１２は、切り欠き部分５１３よりも上部側が切り欠かれている。図１２及び図１４に示すように、縦筒部５１における切り欠き部分５１３が形成される側面５１２において、縦筒突出端部５１０ｂの上端部は、横筒部５２よりも下方に位置する。
【００９５】
横筒部５２は、図１２に示すように、縦筒部５１の上端部から縦筒部５１が延びる方向に交差する方向に延びる。一端部が縦筒部５１の上端部の内部に配置され、一端部から縦筒部５１に形成される切り欠き部分５１３の上方側を通過して他端部まで延びて形成される。横筒部５２は、梁４の内部に配置される。
【００９６】
横筒部５２は、図１２及び図１５に示すように、断面がＬ字状の一対のＬ字状板材５２１を、反転させた状態で組み合わせて接合して構成される。一対のＬ字状板材５２１，５２１は、一対のＬ字状板材５２１，５２１同士の重なり合った部分において、互いが接合されている。
【００９７】
横筒部５２は、中空部を有する。横筒部５２は、断面がＬ字状の一対のＬ字状板材５２１，５２１を、反転させた状態で組み合わせてされているため、互いを接合する前に、組み合わせの位置をずらすことで、中空部の幅の大きさを調整することができる。これにより、横筒部５２における梁４の内部に配置される部分の大きさを調整することができる。よって、横筒部５２の大きさを調整できるため、サイズの異なる梁４に対応できる。
【００９８】
本実施形態においては、横筒部５２は、一対のＬ字状板材５２１，５２１を、梁４の内面に位置合わせされる大きさになるように、中空部の幅の大きさを調整して組み合わされる。本実施形態では、横筒部５２は、一対のＬ字状板材５２１，５２１を、前述した縦筒部５１に形成した縦筒突出端部５１０ｂ（図１３参照）に相当する端部が突出しないように組み合わせて接合して形成している。このように形成した横筒部５２は、図１５に示すように、梁４の内面に位置合わせされた状態で、梁４の内部に配置される。
【００９９】
連結部材５は、図３に示すように、縦筒部５１の下端部（一方側）が、支柱２の上端部側から支柱２の支柱側ホロー部２１に挿入され、屋根体６とは反対側の外側において上下に並ぶ２つのネジ部材１０１により支柱２に固定され、屋根体６側の内側において上下に並ぶ２つのネジ部材１０２により、後桁ブラケット７１１と共締めされる。
連結部材５は、横筒部５２の先端部（他方側）が、梁４の内部に挿入されて、上方側から３つのネジ部材１０３に固定されると共に、下方側から１つのネジ部材１０４で固定される。
連結部材５における縦筒部５１の上方側には、図３に示すように、カバー部材５３が取り付けられる。
【０１００】
支柱２の外部に露出したネジ部材１０１，１０２は、図１３に示すように、支柱２の側面を覆う支柱カバー部材２３が支柱２に取り付けられることで、外部から視認されないように、支柱カバー部材２３により覆われる。これにより、外部からネジ部材１０１，１０２が視認されないため、意匠性を向上できる。
【０１０１】
梁４と連結部材５とを固定する複数のネジ部材１０３，１０４は、梁４の上面の２箇所と、梁４の下面の１箇所において、梁４と連結部材５とを固定する。梁４の上面側の２箇所のネジ部材１０３は、上方に露出して配置されるため、屋根体６の下方側からは視認されない。梁４の下面側の１箇所のネジ部材１０４は、梁４の下方に屋根体６及び後桁７１が配置されるため、屋根体６の下方側からは視認されない。よって、意匠性を向上できる。
【０１０２】
以上説明した本実施形態の屋根構造体２０によれば、以下のような効果を奏する。
本実施形態の屋根構造体２０は、支柱２と、支柱２に接続される梁４と、支柱２の側方に配置される屋根体６と、梁４と交差する交差方向である屋根体６の長手方向に延びると共に支柱２が屋根体６の長手方向に移動可能に取り付けられる後桁側スライド溝７１４を有し、屋根体６における支柱２側の端部を支持する後桁７１と、屋根体６の長手方向に延びると共に梁４が屋根体６の長手方向に移動可能に取り付けられる前桁側スライド溝７２２を有する前桁７２と、前桁７２の下部に取り付けられ屋根体６を吊り下げて支持する吊り下げ部材７３と、を備える。
【０１０３】
そのため、梁４を、前桁側スライド溝７２２に沿って、屋根体６の長手方向（梁４が延びる方向に交差する方向）に移動できる。また、支柱２を、後桁側スライド溝７１４に沿って、屋根体６の長手方向（梁４が延びる方向に交差する方向）に移動できる。これにより、支柱２を設置する場合に、例えば、支柱２の設置位置が制限されていても、支柱２における屋根体６の長手方向の設置位置を変更できる。よって、支柱２における屋根体６の長手方向の設置位置の配置の自由度を向上させることができる。
【０１０４】
また、本実施形態においては、前桁７２を梁４の先端部４１に取り付けた。そのため、前桁７２の高さ方向の大きさを大きくできるため、屋根体６の高さを維持しつつ、前桁７２の強度を確保することができる。
【０１０５】
以上、本発明の駐輪場１０の屋根構造体２０の好ましい一実施形態について説明したが、本発明は、上述した実施形態に制限されるものではなく、適宜変更が可能である。
例えば、前記実施形態において、横樋構成部７１３の傾斜面部７１３ｂを１つの傾斜面としたが、これに限定されず、傾斜面部を複数の段差状の傾斜面で構成してもよい。
【０１０６】
前記実施形態では、支柱２と梁４とを連結部材５で連結する連結構造において、縦筒部５１及び横筒部５２の両方について、一対のＬ字状板材５１１，５２１を反転して組み合わせて接合して形成したが、これに限定されない。いずれか一方の縦筒部５１及び横筒部５２を、一対のＬ字状板材５１１又は一対のＬ字状板材５２１を反転して組み合わせて接合して形成してもよい。
【０１０７】
前記実施形態では、被覆カバー部材８２４を取り付け可能な被覆カバー部材ホルダー８２１と、アクリル板８２３を取り付け可能なアクリル板ホルダー８２２と、を別々に設けたが、これに限定されず、アクリル板８２３及び被覆カバー部材８２４の両方を取り付け可能な共用の共用ホルダー（共用のカバー部材取付部）を設けてもよい。
【符号の説明】
【０１０８】
２０  屋根構造体
２  支柱（柱材）
４  梁
６  屋根体
４１  先端部
７１  後桁（後桁部材）
７２  前桁（前桁部材）
７３  吊り下げ部材（吊部材）
７１４  後桁側スライド溝
７２２  前桁側スライド溝
【図１】
2018123615.tif 000003
【図２】
2018123615.tif 000004
【図３】
2018123615.tif 000005
【図４】
2018123615.tif 000006
【図５】
2018123615.tif 000007
【図６】
2018123615.tif 000008
【図７】
2018123615.tif 000009
【図８】
2018123615.tif 000010
【図９】
2018123615.tif 000011
【図１０】
2018123615.tif 000012
【図１１】
2018123615.tif 000013
【図１２】
2018123615.tif 000014
【図１３】
2018123615.tif 000015
【図１４】
2018123615.tif 000016
【図１５】
2018123615.tif 000017